【事件の表示】
　平成２年特許願第３３７６６８号「電子写真記録装置の印刷濃度調整方法」拒絶査定に対する審判事件［平成　４年　７月２７日出願公開、特開平　４−２０４７７５］について、次のとおり審決する。
【結　論】
　本件審判の請求は、成り立たない。
【理　由】
１．手続の経緯・本願発明の内容
　本願は、平成２年１１月３０日の出願であって、平成１１年９月１０日付手続補正書によりその特許請求の範囲の請求項１乃至請求項３は補正されている。そして、この補正された明細書及び図面の記載からみて、その請求項１に係る発明は、特許請求の範囲に記載された次のとおりのものである。
「特許請求の範囲
（１）感光体表面に対向するグリッドを備え、感光体を所定の表面電位｜Ｖ0｜に帯電させる帯電手段と、帯電した感光体を露光し、感光体に前記表面電位よりも低い電位｜ＶR｜を有する潜像を記録する光学手段と、トナーと磁性キャリアからなる二成分系現像剤を保持搬送するとともに、前記電位｜Ｖ0｜および｜ＶR｜間に設定されたバイアス電位｜ＶB｜が印加される磁気ローラを有し、該磁気ローラに保持されたトナーを前記潜像に供給して感光体上にトナー像を形成するバイアス現像手段とを用いる電子写真記録装置の印刷濃度調整方法であって、
　前記バイアス電位を変化させて電位差｜ＶB−ＶR｜を変化させる時、前記磁気ローラに印加するバイアス電圧と、前記グリッドに印加するグリッド電圧｜ＶG｜とを調節し、前記バイアス電位の変化に比例して前記表面電位も変化させ、電位差｜ＶB−ＶR｜を変化させた場合も前記表面電位およびバイアス電位間の電位差｜Ｖ0−ＶB｜を一定に保持するとともに、前記電位差｜Ｖ0−ＶB｜をカブリならびに前記磁性キャリアの感光体表面への付着の発生を抑制する値に規定したことを特徴とする電子写真記録装置の印字濃度調整方法。」
（以下、「本願発明」という。）
　
２．原査定の拒絶の理由の概要
　原査定の拒絶の理由は、以下の文献を引用して、本願の請求項１乃至請求項３に係る発明は、引用文献１乃至６に記載された内容に基づいて当業者が容易に発明をすることができたものであるから、特許法第２９条第２項の規定により特許を受けることができない、とするものである。
　
引用文献１：実願昭６１−５８９６３号
　　　　（実開昭６２−１７０９４７号公報）のマイクロフィルム
引用文献２：特開昭６３−３０８６８号公報
引用文献３：実願昭５９−１１１０８７号
　　　　（実開昭６１−２７１４７号公報）のマイクロフィルム
引用文献４：特開昭６３−１４１７３号公報
引用文献５：実願昭６１−４０６７５号
　　　　（実開昭６２−１５４４５４号公報）のマイクロフィルム
引用文献６：特開昭６１−２４９１６６号公報
　
（１）引用例１の記載内容
　電子写真装置に関する。
Ａ．実用新案登録請求の範囲
「１．感光体に高電圧を印加して帯電させ、露光により静電潜像をつくり、現像器により現像した後、定着して記録像を得る電子写真装置において、前記感光体に印加される高電圧を調整する帯電電圧調整器と、前記現像器に印加される現像バイアス電圧を調整するバイアス電圧調整器とが、前記電子写真装置の本体上に同時調整が可能となるように並設されていることを特徴とする電子写真装置。」
　
Ｂ．第１頁第１６行〜第２頁第１４行
「〔考案の背景〕
　電子写真装置において印刷濃度を調整する場合は、オペレータにより現像器の現像バイアス電圧調整用可変抵抗器を調整し、バイアス電圧を上昇、下降することによって行なわれるが、この場合、従来の調整では、例えば印刷濃度を薄くしようとしてバイアス電圧を下げると、感光体表面の電位とバイアス電圧との差が大きくなり、静電潜像に付着するトナー（粉体インキ）の付着量が増加し、非印刷部分にまで付着する、カブリと称される印刷汚れが発生する場合がある。この現象は二成分現像剤あるいは一成分現像剤のいづれを用いた場合にも生ずるもので、特に二成分現像剤を用いた場合は、現像剤を構成するキャリアが非印刷部分に付着する、いわゆるキャリア飛びの現象が発生する。また、印刷濃度を濃くしようとしてバイアス電圧を上昇させた場合は、感光体が寿命などによってその表面電位が下っていると、やはり上記同様にカブリ現象が発生することになる。
　このように従来の電子写真装置では、印刷濃度を調整する場合、現像バイアス電圧のみを昇降して調整していたため、感光体の表面電位の状態によっては適切な濃度が得られないことがあり、印刷品質が不安定になるという欠点があった。」
　
Ｃ．第２頁第２０行〜第１８行
「〔考案の目的〕
　本考案の目的は、上記の欠点をなくし、印刷品質が安定で良好な電子写真装置を提供することにある。
〔考案の概要〕
　本考案は、感光体に高電圧を印加して帯電させ、露光により静電潜像をつくり、現像器により現像した後、定着して記録像を得る電子写真装置において、前記感光体に印加される高電圧を調整する帯電電圧調整器と、前記現像器に印加される現像バイアス電圧を調整するバイアス電圧調整器とが、前記電子写真装置の本体上に同時調整が可能となるように並設されていることを特徴とし、現像時に印刷品質に悪影響を及ぼす現象が生じないように感光体表面の電位と現像バイアス電圧の両者を調整し、環境が変化したり、あるいは、感光体が寿命により劣化を生ずるような場合でも、常に安定した印刷品質が維持できるようにして、上記目的の達成を計ったものである。」
　
Ｄ．第３頁第１９行〜第１１頁第７行、第１図及び第２図
「〔考案の実施例〕
　以下、本考案の一実施例を図により説明する。
　第１図は本考案の電子写真装置の一実施例の説明図である。
　図において、１は感光体で、帯電器２の電圧によって帯電され、図の矢印方向に回転している。３は高圧電源で、帯電器２に印加される。４は帯電電圧調整用の可変抵抗器で、高圧電電３の出力電圧を調整するものである。５はレーザ光で、感光体１の表面に照射され、静電潜像を形成する。６は現像器で、内部にはトナー７が充填されている。８はマグネットローラで、トナー７を感光体１の静電潜像部分に供給する。９は現像バイアス電源で、現像器６とマグネットローラ８に電圧を印加する。１０はバイアス電圧調整用の可変抵抗器で、現像バイアス電源９の出力電圧を調整するものである。
　第２図は電子写真装置本体の斜視図を示すもので、帯電電圧調整用の可変抵抗器４とバイアス電圧調整用の可変抵抗器１０とが並べて設置されており、オペレータの同時操作が容易になるようになっている。
　この実施例の電子写真装置では、感光体１が帯電器２で帯電され、図の矢印方向に回転してレーザ光５の照射位置に達すると、その表面には、印刷しようとする文字あるいは図形に対応するレーザ光５の照射あるいは不照射によって生ずる静電潜像が形成される。
　静電潜像が形成され、マグネットローラ８の位置に達すると、トナー７がマグネットローラ８によって潜像に供給され、レーザ光５が照射されないで、電位の高い部分にトナー７が付着することにより現像が行われる。
　印刷濃度の濃淡を調整する場合は、現像器６に印加される現像バイアス電源９の電圧を昇降し、潜像に付着するトナー量を変化することによって行なわれる。
　現像バイアス電源９の出力電圧は可変抵抗器１０の調整により、任意に変化することができる。
　以上のようにして現像が行なわれ、印刷濃度が調整されるが、例えば印刷濃度を薄くしようとして現像バイアスを下げた場合、この現像バイアス電圧と感光体１の表面電位との差が大きすぎると、前記のカブリ現象が発生する。これは感光体１の表面電位と現像バイアス電圧との関係が適切でないため、潜像に付着するトナー量の制御が良好に行なわれないことによるもので、このような現象は印刷濃度を濃くしようとして現像バイアス電圧を上げた場合にも発生するものである。
　このようにこのカブリ現象は、感光体１の表面電位と現像器６の現像バイアス電圧の差が定められた値を越えたときに発生し、この差電圧が規定値以内にあれば発生することはない。
　従来の濃度調整ではオペレータがバイアス電圧調整用の可変抵抗器１０のみを操作して行っていたため、カブリ現象が防止できなかったもので、これに対し帯電電圧調整用の可変抵抗器４とバイアス電圧調整用の可変抵抗器１０とを装置本体に並べて設け、オペレータが両方の可変抵抗器を同時に操作することにより、高圧電源３の出力電圧、すなわち感光体１の表面電位と現像バイアス電源９の出力電圧、すなわち現像器６の現像バイアス電圧を同時に良好な値に調整することができることになり、上記のカブリ現象の発生を防止することができ、安定した印刷品質を得ることができる。
　以上のように本実施例を用いることにより、帯電電圧調整用の可変抵抗器４とバイアス電圧調整用の可変抵抗器１０とを同時に操作することができるので、感光体１の帯電電圧と現像器６の現像バイアス電圧との差を常に規定値範囲に調整することができ、トナーあるいはキャリアが潜像以外の部分に付着するカブリやキャリア飛びなど、印刷品質に悪影響を与える現象をとり除くことができる。
　なお、本実施例では、現像剤に一成分トナーを用いる場合について説明したが、二成分トナーを用いる場合についても同じように適用することができる。」
　
　当該引用例１には、感光体表面の電位とバイアス電圧との差が大きい場合には、「カブリ」（すなわち、「印刷汚れ」）が発生し、これは、二成分現像剤あるいは一成分現像剤のいずれを用いた場合にも生ずるものであり、特に二成分現像剤を用いた場合は、「キャリア飛び」（現像剤を構成するキャリアが非印刷部分に付着する現象）が発生することが、従来から認識されていたこととして記載されている。
　
　また、当該引用例１に記載される実施例においては、帯電器２により所定の表面電位に帯電させられた感光体１の上に、レーザ光５の照射あるいは不照射によって静電潜像が形成され、マグネットローラ８の位置において、現像バイアス電圧を印加されたマグネットローラ８からトナー７を供給されて、電位の高い部分にトナー７が付着するようにして現像がなされるものであるが、「二成分トナーを用いる場合についても、同じように適用することができる。」の記載からして、記載される一成分トナー７についての方法が、トナーと磁性キャリアからなる二成分系現像剤を用いた場合にも適用できるものとして記載されている。
　
　したがって、これらの記載からみて、引用例１には、
　感光体表面に対向し、感光体を所定の表面電位に帯電させる帯電手段と、帯電した感光体を露光し、感光体に潜像を露光により記録する光学手段と、トナーとキャリアからなる二成分系現像剤を保持搬送するとともに、前記表面電位および露光された潜像の電位の間に設定されたバイアス電位が印加されるマグネットローラを有し、該マグネットローラに保持されたトナーを前記潜像に供給して感光体上にトナー像を形成するバイアス現像手段とを用いる電子写真記録装置の印刷濃度調整方法であって、
　前記バイアス電位を変化させて前記露光された感光体表面の電位とバイアス電位間の電位差を変化させる時、前記磁気ローラに印加するバイアス電圧と、前記帯電手段に印加する電圧とを調節し、前記バイアス電位の変化に対応して前記露光されていない感光体表面の電位も変化させ、前記露光された感光体表面の電位とバイアス電位の間の電位差を変化させた場合に、前記露光されていない感光体表面の電位およびバイアス電位間の電位差を規定値以内に保持することで、カブリならびにキャリア飛び（現像剤を構成するキャリアが非印刷部分に付着する現象）の発生を抑制するようにした電子写真記録装置の印字濃度調整方法
（以下、「引用例１から把握できる発明」という。）
が記載されていると把握できる。
　
（２）引用例２の記載内容
　電子写真方式の画像形成装置に関するものである。
Ｅ．特許請求の範囲
「静電潜像を可視像化する画像形成装置において、像担持体と、該像担持体を一様に帯電させる帯電手段と、一様に帯電された像担持体上に画像情報に対応する静電潜像を形成する静電潜像形成手段と、前記静電潜像に現像剤を付与し可視像化する現像手段と、前記現像手段に前記現像剤濃度及び／又は前記静電潜像の地肌部電位に応じてバイアス電圧を印加する現像バイアス電圧印加手段と、前記現像バイアス電圧値に応じて前記一様帯電電位を変化させる帯電電位制御手段とを有することを特徴とする画像形成装置。」
　
Ｆ．第１頁右欄第１行〜第１６行、第７図
「（従来技術とその問題点）
　第７図は、従来の画像形成装置としての電子写真プリンタを説明する構成図である。感光体ドラム１は帯電器２により一様に帯電され、液晶シャッタヘッド３により光書込みが行われ、静電潜像が形成される。この静電潜像は、バイアス電源６からバイアス電圧を印加された現像器４内の現像スリーブ５によりトナーを付与されて顕像化され、転写器７により転写紙７ａ上に転写される。一方、感光体ドラム１上に残留したトナーはクリーナ８により清掃され、次の露光（光書込み）に備えて再度帯電器２により帯電される。上述のような電子写真プリンタにおいては、通常、現像バイアス電圧が感光体の感度やトナー濃度に応じて適正値に調節され、地肌汚れのない良質な画像が得られる構成となっている。」
　
Ｇ．第１頁右欄第１７行〜第２頁左上欄第１４行、第２図
「第２図は、トナー濃度及び感光体感度（シャッター開成部（明部）の感光体表面電位（以下明電位という）ＶLで示される）の変化に対する最適バイアス電圧ＶBの関係を示すグラフ図である。これから、感光体感度が低下し（ＶLが上昇）すると最適バイアス電圧ＶBが上昇し、トナー濃度が低下すると最適バイアス電圧ＶBも低下することが分かる。
　然るに、上記特性に基づきバイアス電圧ＶＳを変化させた場合、シャッタ閉成部（暗部）の表面電位（以下暗電位という）ＶDとの関係が問題となる。即ち、相対的に暗電位Ｖ0が低くバイアス電位ＶSが高い場合は画像濃度の低い低品位の画像となり、暗電位Ｖ0が高くバイアス電圧Ｖが低い場合は、トナーキャリアから成る二成分系現像剤のキャリアが静電誘導現象により暗電位部に付着するいわゆる”キャリア引き”が発生し、著しい画質の低下を招く。」
　
Ｈ．第２頁左上欄第１５行〜右上欄第１５行
「（発明の目的）
　本発明は、上記従来の欠点に鑑み、地肌汚れがなく画像濃度も高い良好な画像を得るため、感光体ドラムの感度のバラツキやトナー濃度のバラツキ等に応じて現像バイアス電圧の設定値を変えた場合にも、画像の低濃度化やキャリア引き等の画像障害を引き起こすことのない画像形成装置を提供することを目的とする。
（発明の要点）
　本発明は上記目的を達成するために、静電潜像を可視像化する画像形成装置において、像担持体と、該像担持体を一様に帯電させる帯電手段と、一様帯電された像担持体上に画像情報に対応する静電潜像を形成する静電潜像形成手段と、前記静電潜像に現像剤を付与し可視像化する現像手段と、前記現像手段に前記現像剤濃度及び／又は前記静電潜像の地肌部電位に応じてバイアス電圧を印加する現像バイアス電圧印加手段と、前記現像バイアス電圧値に応じて前記一様帯電電位を変化させる帯電電位制御手段とを有することを特徴とする。」
　
Ｊ．第２頁右上欄第１９行〜左下欄第１６行、第１図
「第１図は本発明の一実施例としてのＬＳＣプリンタにおける要部の構成を示す回路構成図である。同図において、感光体ドラム９近傍には帯電器１６，現像器１０等の画像形成手段が配設されている。現像器１０は、現像スリーブ１０ａを具備し、現像剤を感光体ドラム９に近接する現像位置ｄまで搬送し、現像に供する。この現像スリーブ１０ａには、現像バイアス電源１１から後述する如くバイアス電圧が最適に印加されている。また、現像バイアス電源１１の電圧は電圧検知回路１２へ出力され、この回路１２で検知された電圧は比較回路１３へ出力される。比較回路１３は、所定の基準電圧と電圧検知回路１２から入力される電圧とを比較し、その入力電圧に見合った比較出力信号を電流制御回路１４へ出力する。電流制御回路１４では、入力した信号に従って高圧電源１５へ制御信号を出力し、高圧電源１５では。この制御信号に応じた電圧を帯電器１６へ印加する。」
　
Ｋ．第２頁左下欄第１７行〜右下欄第１１行、第３図及び第４図
「第３図は、画像濃度と単なる感光体表面電位Ｖとの関係を示しており、これから、感光体電位Ｖを上げれば画像濃度が増すが、或る程度以上に感光体電位が上がるとそれ以上は濃度が増すことなく逆にキャリア引きが発生することが分かる。この場合、バイアス電圧ＶBを変化させると、特性曲線がほぼ横軸（Ｖ）に平行移動し、ＶBが固い程キャリア引きを起こす限界電圧Ｖが高くなっている。
　また、第４図は、液晶光シャッタを用いた場合の暗電位ＶDと現像バイアス電圧ＶBとの関係におけるキャリア引きまたは画像濃度低下の各発生限界線をトナー濃度別に示す図である。」
　
Ｌ．第３頁右上欄第２０行〜左下欄第１０行
「現像器１０に印加される電圧は、現像バイアス電源１１により供給され、同時に印加された電圧は、電圧検知回路１２により検出される。そこで、検出された電圧は予め定められた値と比較回路１３により比較演算され帯電器１６の高圧電源１５の電流制御回路１４へフィードバックされる。そして、現像器１０に印加された電圧に応じ帯電器１６の高圧電源１５より印加される電圧を変化させ、感光体９の一様帯電電位（ＶＳ）を上述の如く制御することにより良好な画像が安定して得られる。」
　
Ｍ．第３頁左下欄第１１行〜右下欄第１４行
「第６図は、本発明の他の実施例を示すもので第１図と同一構成要素には同一番号を付す。本例では、帯電器１７として、グリッド１８を設けたスコトロン方式のものを使用し、帯電シールド１９及びグリッド１８は、定電圧素子２０とスイッチ回路２１で制御される複数の抵抗Ｒを介して接地されている。従って、前述の如く最適に調節された現像バイアス電圧ＶBを検出し比較演算した後、これに応じてスイッチ回路２１を動作させて抵抗Ｒの抵抗値を変え、帯電シールド１９およびグリッド１８の電位を変化させることにより、感光体の一様帯電電位ＶSを現像バイアス電位ＶBに応じて変化させ、｜ＶS−ＶB｜（｜ＶD−ＶB｜）をほぼ一定に制御することができる。これにより前述の実施例と同様に地肌汚れがなく且つキャリア引きや画像濃度低下のない良好な画像を安定して得ることができる。
　尚、本発明は、ＬＳＣプリンタに限らず、電子写真複写機等の種々の電子写真装置或いは、光書き込み式に限らず静電記録方式のプリンタにも適用することができる。又、正規現像方式に限らず、反転現像方式にも本発明を適用することができる。但し、この場合は、｜ＶL−ＶB｜が略一定となるように制御する。」
　
Ｎ．第３頁右下欄第１５行〜第４頁左上欄第４行
「（発明の効果）
　以上、詳細に説明したように、本発明によれば、現像バイアス電圧を適正に調節すると共にこれに応じて一様帯電電位を変化させて双方の電圧値の差を略一定に保つことにより、地肌汚れがなく且つキャリア引きや画像濃度の低下のない高品位の画質を安定して得ることができる。従って、本発明をＬＣＳプリンタに適用すれば、ＬＣＳヘッド毎の露光度のバラツキを充分にカバーして常に安定的に高品位印字画質を得ることができる。」
　
　当該引用例２には、感光体表面の電位（この場合、暗部の表面電位であり、「暗電位」と称される。）とバイアス電圧との差が大きい場合には、画像濃度の低い低品位の画像となり、暗電位が高くバイアス電圧が低い場合には、トナーとキャリアから成る二成分系現像剤のキャリアが静電誘導現象により暗電位部に付着するいわゆる”キャリア引き”が発生し、著しい画質の低下を招くことが、従来から認識されていたこととして記載されている。
　また、当該引用例２には、感光体電位を上げれば画像濃度を増すことが可能なるも、或る程度以上感光体電位が上がるとそれ以上は画像濃度は増さず、逆にキャリア引きが発生することが指摘され、この場合、バイアス電圧ＶBを変化させると、ＶBが高い（引用例２の記載は「固い」であるが「高い」の誤記と推察される。）程キャリア引き起こす限界電圧が高くなることも記載されている。
　そして、第４図を参照して、現像バイアス電圧と暗電位との関係においては、トナー濃度限界とキャリア引き限界を考慮し、現像バイアス電圧値に応じて、像担持体を一様帯電させる一様帯電電位を変化させることが記載されている。
　具体的には、第６図を参照して、帯電装置が帯電シールド１９とグリッド１８からなる構成であり、現像バイアス電圧をＶBを検出し比較演算し、これに応じて帯電シールド１９及びグリッド電位を変化させて、感光体の一様帯電電位ＶSを現像バイアス電位ＶBに応じて変化させ、｜ＶS−ＶB｜（｜ＶD｜−｜ＶB｜）（ＶDはシャッターオフ電位であり、露光されていない感光体表面電位を表すものである。）をほぼ一定に制御することが記載されている。
　そして、これにより、地肌汚れがなく且つキャリア引きや画像濃度低下のない良好な像を安定して得ることができると記載されている。
　
（３）引用文献３の記載内容
Ｐ．実用新案登録請求の範囲
「表層や感光体で形成した感光ドラムと、コロナワイヤ及び該コロナワイヤと前記感光体との間に設けられるスクリーングリッドを備えたスコトロン帯電装置とを有し、かつ前記感光体上に形成される静電潜像を現像ローラとトナーを備えた現像装置により反転現像する電子写真装置において、該現像装置の現像ローラに現像電位を与える現像電位電源に前記スコトロン帯電装置のスクリーングリッドを接続したことを特徴とする電子写真装置。」
　
（４）引用文献４の記載内容
　画像形成装置、例えば像担持体上に画像が形成されるに際しての画像形成条件たる像担持体に対する帯電、露光、現像等を制御する制御システムを備えた電子写真複写装置に適用可能な、画像形成装置に関するものである。
　そして、コントラスト電位が可変することなく、濃度の一定な画像を得るための制御方法が記載されている。
Ｑ．第３頁左下欄第１５行〜第４頁左上欄第２行
「問題点を解決するための手段
　上記目的は、本発明に係る画像形成装置にて達成される。要約すれば本発明は、像担持体と、前記像担持体上に画像を形成する画像形成のプロセスに必要な少なくとも現像バイアスを始めとする各種画像形成条件を設定、可変する像形成条件設定、可変手段と、前記画像形成条件設定、可変手段によって設定、可変された前記像担持体上の画像形成条件に応じて可変する前記像担持体上の表面電位を検出して出力する表面電位検出手段と、前記画像形成のプロセスが実行される以前に、前記画像形成条件設定、可変手段を制御して前記表面電位検出手段によって検出された表面電位検出値を読み込み該検出値と前記像担持体上に形成される暗部の電位と前記現像バイアスとの予め設定されている差分値及び前記像担持体上に形成される明部の電位と前記現像バイアスとの予め設定されている差分値とから前記画像形成のプロセスを実行される以前の初期が像形成条件を演算し記憶する演算、記憶手段と、前記像担持体上に連続的に画像が形成される連続が像形成のプロセスを実行中に、前記表面電位件手段によって検出された前記像担持体上の非画像形成領域における表面電位検出値を読み込み該検出値と前記２つの差分値とから前記演算、記憶手段によって記憶されている初期画像形成条件と補正する補正手段とを具備したことを特徴とする画像形成装置である。」
　
（５）引用文献５の記載内容
　電子写真装置に係り、特にカブリの少ない印刷ができるようにするのに好適な電子写真装置に関するものである。
Ｒ．実用新案登録請求の範囲
「１、帯電器により帯電された感光体の表面に光を照射して潜像を形成させ、該潜像を現像機により顕像化するようにしてなる電子写真装置において、前記感光体の表面の潜像に磁性現像剤を付着させる回転可能に設置された磁気ローラと同心円の現像スリーブに現像バイアス電圧を印加する現像バイアス電圧設定用可変抵抗器を有する現像バイアス用高圧電源の電圧調整用可変抵抗器と、前記感光体を前記現像バイアス電圧と同極に表面帯電させる帯電電圧設定用可変抵抗器を有する帯電用電圧電源の電圧調整用可変抵抗器とを同一体として、前記電圧調整用可変抵抗器により前記現像バイアス電圧を変化させたときは、同時に前記感光体の表面帯電電圧も同様に変化し、前記現像バイアス電圧と前記感光体の表面帯電電圧との差が常に一定値以下となる構成としたことを特徴とする電子写真装置。」
　
（６）引用文献６の記載内容
　電子写真により形成される画像の濃度を最適なものに調整する方法に関するものである。
Ｓ．特許請求の範囲
「（１）帯電した像担持体上に像露光して静電潜像を形成し、該静電潜像をバイアス電圧を印加した現像手段で反転現像し該画像を形成する電子写真に於て、前記帯電の帯電量と前記バイアス電圧の電圧量とを同期変化させて、該顕画像の濃度を調整することを特徴とする画像濃度調整方法。
（２）帯電した像担持体上に像露光して静電潜像を形成し、該静電潜像をバイアス電圧を印加した現像手段で反転現像し該画像を形成する電子写真に於て、前記帯電の帯電量と前記バイアス電圧の電圧量と前記像露光の露光量とを同期変化させて、該顕画像の濃度を調整することを特徴とする画像濃度調整方法。」
　
３．当審の対比・判断
(1) 本願請求項１に係る発明と、引用例１から把握できる発明との対比
　本願請求項１に係る発明と、引用例１から把握できる発明とを対比すると、
　本願請求項１に係る発明における、「帯電手段」、感光体の「所定の表面電位｜Ｖ0｜」、「バイアス電位｜ＶB｜」、「磁性キャリア」及び「磁気ローラ」が、
　引用例１から把握できる発明の、「帯電手段」、感光体の「所定の表面電位」、「バイアス電位」、「キャリア」及び「マグネットローラ」にひとまず相当する。
　
　そして、本願請求項１に係る発明における「感光体に前記表面電位よりも低い電位｜ＶR｜を有する潜像を記録する」は、帯電手段により帯電させられた所定の表面電位｜Ｖ0｜にある感光体表面に光学手段による露光（光照射）を行って感光体表面を電位｜ＶR｜にすることで形成された潜像を記録することを意味するものである。
　一方引用例１においても、前記記載事項Ｄに
「この実施例の電子写真装置では、感光体１が帯電器２で帯電され、図の矢印方向に回転してレーザ光５の照射位置に達すると、その表面には、印刷しようとする文字あるいは図形に対応するレーザ光５の照射あるいは不照射によって生ずる静電潜像が形成される。
　静電潜像が形成され、マグネットローラ８の位置に達すると、トナー７がマグネットローラ８によって潜像に供給され、レーザ光５が照射されないで、電位の高い部分にトナー７が付着することにより現像が行われる。」
と記載されるように、レーザ光が照射されて電位の低下した感光体表面電位とレーザ光が照射されないことで帯電器で帯電されたままの感光体表面電位との間に現像バイアス電位をおくものであることは明白である。
　よって、本願請求項１に係る発明の「前記表面電位よりも低い電位｜ＶR｜を有する潜像」とは、引用例１から把握できる発明における「レーザ光５の照射によって生ずる静電潜像」に相当しており、本願請求項１に係る発明の｜Ｖ0｜及び｜ＶR｜とは、引用例１から把握できる発明においてレーザ光不照射の『露光されていない感光体表面の電位』及びレーザ光照射を受けて『露光された感光体表面の電位』に相当することとなる。
　
　したがって、本願請求項１に係る発明と、引用例１から把握できる発明とは、
　感光体表面に対向し、感光体を所定の表面電位に帯電させる帯電手段と、帯電した感光体を露光し、感光体に前記表面電位よりも低い電位を有する潜像を露光により記録する光学手段と、トナーと磁性キャリアからなる二成分系現像剤を保持搬送するとともに、前記表面電位および露光された感光体表面の電位の間に設定されたバイアス電位が印加される磁気ローラを有し、該磁気ローラに保持されたトナーを前記潜像に供給して感光体上にトナー像を形成するバイアス現像手段とを用いる電子写真記録装置の印刷濃度調整方法であって、
　前記バイアス電位を変化させて前記露光された感光体表面の電位とバイアス電位間の電位差を変化させる時、前記磁気ローラに印加するバイアス電圧と、前記帯電手段に印加する電圧とを調節し、前記バイアス電位の変化に対応して前記露光されていない感光体表面の電位も変化させ、前記露光された感光体表面の電位とバイアス電位の間の電位差を変化させた場合に、前記露光されていない感光体表面の電位およびバイアス電位間の電位差を規定値以内に保持することで、カブリならびにキャリア飛び（現像剤を構成するキャリアが非印刷部分に付着する現象）の発生を抑制するようにした電子写真記録装置の印字濃度調整方法
である点で共通し、以下の点で相違している。
　
相違点１：感光体表面に対向し、感光体を所定の表面電位に帯電させる帯電手段に関して
　本願請求項１に係る発明においては、
「感光体表面に対向するグリッドを備え、感光体を所定の表面電位に帯電させる帯電手段」と特定されるのに対して、
　引用例１から把握できる発明においては、
印加される高圧電源を備える帯電器２は記載されるものの、この帯電器２がグリッドを備えるか否かが明確でない点。
　
相違点２：前記バイアス電位を変化させて前記露光されていない感光体表面の電位とバイアス電位間の電位差を変化させる時、前記磁気ローラに印加するバイアス電圧と、前記帯電手段に印加する電圧とを調節するに際して、
　
　本願請求項１に係る発明においては、
『前記バイアス電位の変化に比例して前記露光されていない感光体表面の電位も変化させ、前記露光された感光体表面の電位とバイアス電位の間の電位差を変化させた場合も前記露光されていない感光体表面の電位およびバイアス電位間の電位差を一定に保持するとともに、前記露光されていない感光体表面の電位及びバイアス電位の間の電位差をカブリならびに感光体表面へのキャリア付着の発生を抑制する値に規定した』
と特定されるのに対して、
　引用例１から把握できる発明においては、
『前記バイアス電位の変化に対応して前記露光されていない感光体表面の電位も変化させ、前記露光された感光体表面の電位とバイアス電位の間の電位差を変化させた場合に、前記露光されていない感光体表面の電位およびバイアス電位間の電位差を規定値以内に保持することで、カブリならびにキャリア飛び（現像剤を構成するキャリアが非印刷部分に付着する現象）の発生を抑制するようにした』ものである点。
　
（２）当審の判断
　前記相違点１に係る帯電器構成について検討する。
　確かに、引用例１から把握できる発明においては、この帯電器構成が明らかではないが、引用例２の記載を参照すれば、帯電器である帯電装置が帯電シールド１９とグリッド１８からなる構成であり、これは引用例３においてもみられるように周知技術であり、この帯電器構成を採用すること自体が格別なものとはいえない。
　そして、また、本願請求項１に係る発明においては、単に、帯電器により感光体表面に形成し得る表面電位をどの程度とするかに課題を有するとはいえ、このグリッドを備える帯電器構成を採用することによって格別な作用効果を奏するものとはいえない。
　したがって、相違点１は、本願請求項１に係る発明において格別なものとはいえない。
　
　次に、前記バイアス電位を変化させて前記露光されていない感光体表面の電位とバイアス電位間の電位差を変化させる時、前記磁気ローラに印加するバイアス電圧と、前記帯電手段に印加する電圧とを調節するに際しての相違点２に関して検討する。
　
　引用例２の記載を参照するに、
光学的手段による露光が行われなかった、すなわち、この場合は、暗部の表面電位であって、「暗電位」と称される、感光体表面の電位とバイアス電圧との差が大きい場合には、画像濃度の低い低品位の画像となり、暗電位が高くバイアス電圧が低い場合には、トナーとキャリアから成る二成分系現像剤のキャリアが静電誘導現象により暗電位部に付着するいわゆる”キャリア引き”が発生し、著しい画質の低下を招くことが、従来から認識されていたこととして記載されており、また、この不都合を解消すべく、トナー濃度限界とキャリア引き限界を考慮し、現像バイアス電圧値に応じて、像担持体を一様帯電させる一様帯電電位を変化させることが記載されている。
　そして、この引用例２の場合においては、前記記載事項Ｌに摘示したように、
現像バイアス電圧をＶBを検出し比較演算し、これに応じて帯電シールド１９及びグリッド電位を変化させて、感光体の一様帯電電位ＶSを現像バイアス電位ＶBに応じて変化させ、｜ＶS−ＶB｜（｜ＶD｜−｜ＶB｜）（ＶDはシャッターオフ電位であり、露光されていない感光体表面電位を表すものである。）をほぼ一定に制御することで、地肌汚れがなく且つキャリア引きや画像濃度低下のない良好な像を安定して得ることができると記載されている。
　
　してみると、相違点２に係る本願請求項１に係る発明の
『前記バイアス電位の変化に比例して前記露光されていない感光体表面の電位も変化させ、前記露光された感光体表面の電位とバイアス電位の間の電位差を変化させた場合も前記露光されていない感光体表面の電位およびバイアス電位間の電位差を一定に保持する』なる特定は、この引用例２にみられるように、当業者であれば、
地肌汚れがなく且つキャリア引きや画像濃度低下のない良好な像を安定して得ることができる手段として、必要に応じて適宜採用し得た公知技術である。
　そして、前記に摘示した引用例４乃至６にも、電子写真による画像形成において、画像濃度低下を避けて適正な画像濃度を確保するべく、表面電位とバイアス電位との関係を所定値に維持することが記載されていることからも、公知技術であることが裏付けられる。
　
　また、本願請求項１に係る発明における『前記露光されていない感光体表面の電位及びバイアス電位の間の電位差をカブリならびに感光体表面へのキャリア付着の発生を抑制する値に規定した』なる特定は、前記手段の特定において、従来から意識される課題あるいは当業者が容易に推察し得る作用効果に関して記載しているものといえる。
　
　したがって、相違点２に関する本願請求項１に係る発明の前記特定は、本願出願前に公知である当業者が課題解決のために採用し得る手段を記載したにすぎず、当業者が必要に応じて適宜採用し得た程度のことである。
　
　また、以上の各相違点を組み合わせたことにより生じる作用効果も、当業者が容易に推察できる範囲を越えるものとはいえない。
　
　なお、請求人は、審判請求理由補充書において、原審で引用した引用例に関して、
「引用文献２（本審決の引用例２に相当する。）の様にコントラスト電位｜ＶL−ＶB｜を一定に制御している以上、印刷濃度の濃淡を調整することは不可能であり、引用文献２に記載の発明の場合には単一の印刷濃度での画像しか得ることができず、ユーザの好みに応じて印刷濃度の濃淡を任意に調整する本願発明とは相違している。
　次に、引用文献３（本審決の引用例４に相当する。）も引用文献２と同様、コントラスト電位が可変することなく、濃度の一定な画像を得る事をねらいとしており、印刷濃度の濃淡調整を対象とする本願発明とは無関係である。」
と主張するので、この主張を検討する。
　
　確かに請求人が主張するように、これらの引用文献自体には、印刷濃度を可変とすることを目的とすることが記載されていない。
　請求人の主張は、本願請求項１に係る「前記バイアス電位の変化に比例して前記表面電位も変化させ、電位差｜ＶB−ＶR｜を変化させた場合も前記表面電位およびバイアス電位間の電位差｜Ｖ0−ＶB｜を一定に保持するとともに、前記電位差｜Ｖ0−ＶB｜をカブリならびに前記磁性キャリアの感光体表面への付着の発生を抑制する値に規定した」なる特定が、「前記表面電位およびバイアス電位間の電位差｜Ｖ0−ＶB｜を一定に保持する」のみでなく、「電位差｜Ｖ0−ＶB｜を一定に保持する」ように調整可能であって、その調整値が「前記電位差｜Ｖ0−ＶB｜をカブリならびに前記磁性キャリアの感光体表面への付着の発生を抑制する値に規定した」ものであるとするものと解される。
　しかしながら、引用例２あるいは引用例４においては、濃度値を一定に維持することを目的とするものであったとしても、調整される濃度値とは適切な濃度値として認識されるものであって、印刷濃度が薄過ぎるあるいは濃過ぎる場合においても、コントラスト値を一定に調整するものであるとまではいえず、その際には、当業者の技術常識に照らせば、調整する一定値の値を適当なものに変更するものとして理解するのが妥当である。
　
　したがって、前記に検討したように、引用例１においては明確に印刷濃度を調整することが目的とされており、帯電電圧と現像バイアス電圧とを同時に調整されることが記載されており、印刷濃度調整にはこれらの電圧を調整すればよいことが明らかである。
　そして、この引用例１において示されている、帯電電圧と現像バイアス電圧との同時調整に際して、やはり公知である引用例２に示されるように帯電電圧により設定される感光体表面電位と現像バイアス電圧により設定されるバイアス電位とを一定値に設定するように構成することは、当業者が容易に想到し得る事項であって、請求人の主張は採用できない。
　
４．むすび
　したがって、本願の請求項１に係る発明は、引用例１乃至引用例２に記載された発明及び周知技術に基づいて当業者が容易に発明をすることができたものであると認められるから、特許法第２９条第２項の規定により特許を受けることができない。
  よって、結論の通り審決する。